(57)【特許請求の範囲】
【請求項１】
車両等の内部前面の上側位置に取付けられ、平坦な面が車体ルーフ側に沿う不使用状態と車窓前面側に垂下する遮光時における使用状態とに姿勢を変え得る板状のサンバイザ基体に設けられるサンバイザ装置であって、前記サンバイザ基体の板面と平行に配置され、狭隘な間隙をもって対面する１対の支持板と、これら支持板の間隙に挿入された遮光板とを備え、前記遮光板は、前記支持板の板面に沿う全ての方向にスライド自在な低透光率の遮光板本体と、この遮光板本体の板面の１点から軸状に突出し、端面が前記支持板の内面に接触して一定以上の力を加えた場合にのみ前記遮光板とともに前記支持板の板面に沿って移動可能な回動支点用軸部とを有し、前記支持板は、前記軸部の脱落を防止する保持枠を周縁部に有し、前記軸部が前記保持枠に係止される範囲で前記遮光板本体の一部ないし略全体を、前記支持板の周縁部外方に引出し可能とし、かつ前記支持板の板面に沿う移動および前記軸部を中心とする回動を可能としたことを特徴とするサンバイザ装置。
【請求項２】
前記支持板は、前記サンバイザ基体と一体に構成され、もしくは別体として前記サンバイザ基体に装着し得る構成とされている請求項１記載のサンバイザ装置。
【請求項３】
前記支持板は略長方形状をなし、前記間隙は前記支持板の長手方向両端縁部と短手方向一端縁部とにおいて開口し、かつ前記軸部の脱落防止用保持枠は、前記支持板の開口周縁位置に板厚方向に向って突出する段差部もしくは折返し部を有する構成とされている請求項１記載のサンバイザ装置。
【請求項４】
前記遮光板本体は、遮光すべき光の中心点から一定径の範囲に沿って遮光を行なう輪郭部を有する形状とされている請求項１記載のサンバイザ装置。
【請求項５】
前記遮光板本体は、円形、楕円形、長円形、達磨形、瓢箪形もしくは角を丸めた多角形、またはこれらが歪曲した形状とされている請求項４記載のサンバイザ装置。
【請求項６】
前記軸部はその全体もしくは一部が永久磁石により構成される一方、前記支持板の少なくともいずれか一方の内面に磁性金属板が設けられ、これらの間で発生する磁気吸引力を前記軸部の移動抵抗力とし、前記遮光板を前記支持板の板面に沿う各位置にて固定保持し得る構成とされている請求項１記載のサンバイザ装置。
【請求項７】
前記軸部は、前記遮光板本体の周縁位置もしくはその近傍に配置されている請求項１記載のサンバイザ装置。
【発明の詳細な説明】
【０００１】
【発明の属する技術分野】
本発明は、車両等に設けられるサンバイザ装置に係り、特に低位置から入射される太陽光の遮光性に優れ、かつ操作性等の改善を図ったサンバイザ装置に関する。
【０００２】
【従来の技術】
例えば早朝に車両を東に向って運転する場合、日の出に遭遇すると、前面の低い位置から太陽光が略水平な方向もしくは若干の上下角度をもって入射し、運転者にとっては前方が極めて見にくい状態となる。また、夕刻における日の入り前に西に向う運転中においても、同様に夕日によって前方が極めて見にくい状態となる。
【０００３】
このような場合、自動車等の車両に一般的な装備として設けられている全遮光式のサンバイザによって遮光しようとすると、目の高さと略同一高さにサンバイザを合わせなければならないため、前方の視野が大幅に制限されてしまい、非常に運転し難い状況となる。
【０００４】
なお、夜間における後続車のヘッドライトがバックミラーやサイドミラーに反射する場合にも同様の現象が起こることがある。
【０００５】
これに対し、従来では、このような運転困難に対処するために、サンバイザ装置について多くの提案が行なわれている。例えば、上述した一般的な装備としてのサンバイザを縦状態とした場合における下端部に、低透光率の遮光板を上下方向に引出し可能に設けたものが知られている（特許文献１，２）。
【０００６】
同様に、遮光板をサンバイザの下部に起伏可能に装着したもの（特許文献３）、あるいは起伏可能な機能に加え、サンバイザの下部に水平に設けたガイドに沿って遮光板を左右方向に移動可能に設けたもの（特許文献４）等も提案されている。
【０００７】
なお、その他にも類似の技術として、特開平１０−２０３１６５号公報、特開２００２−３３１８３３号公報、特開２０００−３４３９４４号公報等の提案もされている。
【０００８】
【特許文献１】
特開平９−２９０６３８号公報
【０００９】
【特許文献２】
特開平１０−１９３９７１号公報
【００１０】
【特許文献３】
特開平９−２９０６３７号公報
【００１１】
【特許文献４】
特開２００２−１２７７４４号公報
【００１２】
【発明が解決しようとする課題】
しかしながら、上述した従来のサンバイザ装置においては、遮光板を上下方向に沿って出没させるための移動機構と、遮光板を左右方向に沿って移動させる別個の移動機構とが組合され、傾斜方向等への遮光板の移動については、縦移動と横移動との２段階の操作を順次に行なう必要があるものが殆どである。
【００１３】
したがって、これらの各機構により行なわれる遮光板の斜め移動や突出移動、位置決め等を、走行中に瞬時に行なうことに難点があった。すなわち、遮光位置の変化に対応して遮光板を追随させる操作に時間を要し、また遮光板位置の微調整等も面倒であった。
【００１４】
さらに、太陽光のような環状光源に対しては、その中心位置から一定径の拡大された円形の範囲を的確に遮光すれば十分であり、遮光と同時に、その周囲の視野については通常の状態で見えるようにすることが望ましいのに対し、従来の技術では周囲までも隠れるような場合が多く、運転方向の視野が余分に狭められる場合が多い。
【００１５】
また、従来の技術では遮光板の移動・停止を容易に行なえるようにするため、特別に停止機構を付加するなど、構成も複雑で、部品点数も多く、製作にも手間がかかり、コストも高くなり易い。
【００１６】
本発明は、このような事情に鑑みてなされたものであり、遮光位置の変化に追随させて遮光板を斜め方向等のあらゆる方向に自在に移動させることができ、走行中の遮光操作が俊敏かつ容易に行なえるとともに、遮光位置の微調整等についても良好に行なえ、定位置への遮光板の固定等についても容易かつ確実に行なえ、しかも光源を中心として一定の必要な範囲だけを遮光することができ、その外側の範囲については通常の状態で見易くして運転方向の視野が狭められることを解消し、安全性を向上することができ、さらに構成が比較的簡易で部品点数も少なく、製作にも手間がからず低コスト化も図れるサンバイザ装置を提供することを目的とする。
【００１７】
【課題を解決するための手段】
前記の目的を達成するため、請求項１に係る発明では、車両等の内部前面の上側位置に取付けられ、平坦な面が車体ルーフ側に沿う不使用状態と車窓前面側に垂下する遮光時における使用状態とに姿勢を変え得る板状のサンバイザ基体に設けられるサンバイザ装置であって、前記サンバイザ基体の板面と平行に配置され、狭隘な間隙をもって対面する１対の支持板と、これら支持板の間隙に挿入された遮光板とを備え、前記遮光板は、前記支持板の板面に沿う全ての方向にスライド自在な低透光率の遮光板本体と、この遮光板本体の板面の１点から軸状に突出し、端面が前記支持板の内面に接触して一定以上の力を加えた場合にのみ前記遮光板とともに前記支持板の板面に沿って移動可能な回動支点用軸部とを有し、前記支持板は、前記軸部の脱落を防止する保持枠を周縁部に有し、前記軸部が前記保持枠に係止される範囲で前記遮光板本体の一部ないし略全体を、前記支持板の周縁部外方に引出し可能とし、かつ前記支持板の板面に沿う移動および前記軸部を中心とする回動を可能としたことを特徴とするサンバイザ装置を提供する。
【００１８】
請求項２に係る発明では、前記支持板は、前記サンバイザ基体と一体に構成され、もしくは別体として前記サンバイザ基体に装着し得る構成とされている請求項１記載のサンバイザ装置を提供する。
【００１９】
請求項３に係る発明では、前記支持板は略長方形状をなし、前記間隙は前記支持板の長手方向両端縁部と短手方向一端縁部とにおいて開口し、かつ前記軸部の脱落防止用保持枠は、前記支持板の開口周縁位置に板厚方向に向って突出する段差部もしくは折返し部を有する構成とされている請求項１記載のサンバイザ装置を提供する。
【００２０】
請求項４に係る発明では、前記遮光板本体は、遮光すべき光の中心点から光の中心点から一定径の範囲に沿って遮光を行なう輪郭部を有する形状とされている請求項１記載のサンバイザ装置を提供する。
【００２１】
請求項５に係る発明では、前記遮光板本体は、円形、楕円形、長円形、達磨形、瓢箪形もしくは角を丸めた多角形、またはこれらが歪曲した形状とされている請求項１記載のサンバイザ装置を提供する。
【００２２】
請求項６に係る発明では、前記軸部はその全体もしくは一部が永久磁石により構成される一方、前記支持板の少なくともいずれか一方の内面に磁性金属板が設けられ、これらの間で発生する磁気吸引力を前記軸部の移動抵抗力とし、前記遮光板を前記支持板の板面に沿う各位置にて固定保持し得る構成とされている請求項１記載のサンバイザ装置を提供する。
【００２３】
請求項７に係る発明では、前記軸部は、前記遮光板本体の周縁位置もしくはその近傍に配置されている請求項１記載のサンバイザ装置を提供する。
【００２４】
【発明の実施の形態】
以下、本発明に係るサンバイザ装置の実施形態について、図面を参照して説明する。
【００２５】
図１〜図３は、本発明の一実施形態を示している。図１は、サンバイザ装置の全体構成を示す斜視図であり、図２は、図１のＡ−Ａ線断面図である。図３は、作用説明図である。
【００２６】
図１に示すように、本実施形態のサンバイザ装置１は、自動車等の車両内部の前面上側位置に設けられる一般装備としての全遮光式の板状のサンバイザ基体２（仮想線参照）と一体に構成され、もしくは別体として着脱可能に構成される。着脱可能な構成とする場合には、図示省略のクリップ、ボルト、バンドその他の着脱具等を介して、例えばサンバイザ基体２の外面に装着する構成とされる。これらの構成は任意に選択することができ、いずれの構成も新車または既存車両に対してそれぞれ適用することができる。
【００２７】
なお、サンバイザ基体２は、車体に設けられた略Ｌ字形の回動用支持アーム２ａに支持され、この支持アーム２ａの水平軸状部分を中心とする上下方向の回動（起伏動作）、および支持アーム２ａの縦軸状部分を中心とする左右方向への回動等が可能な構成である。これにより、サンバイザ基体２は、板厚方向表面である平坦な面が車体ルーフ側に沿う不使用状態と車窓前面側に垂下する遮光時における使用状態とに姿勢を変え得るものである。
【００２８】
本実施形態のサンバイザ装置１は、上述したサンバイザ基体２とともに各種姿勢を取り得るものとなる。なお、以下の説明では、サンバイザ基体２を支持アーム２ａから下方に向って垂下させる遮光時における使用状態を基本姿勢として、「上下」、「左右」等についての記載を行なう。また、以下の記載において、「前」とは車両の前側を示し、「後」とは、車両の後側を示す。
【００２９】
サンバイザ装置１は、図１および図２に示すように、狭隘な間隙をもって前後に対面する１対の平行な支持板（前側支持板３，後側支持板４）と、これら支持板３，４の間隙５内に挿入された遮光板６とを備えている。前側支持板３は、後側支持板４よりも上下および左右の寸法が若干大きい。なお、各支持板３，４は、樹脂整形により一体物として構成してもよく、また図示しないが金属枠に布その他各種の壁形成材を巻きつけて一体化した構成としてもよく、種々の材料により構成することができる。
【００３０】
各支持板３，４は、それぞれ横長な長方形状をなし、これら支持板３，４の上端縁部（短手方向一端部）同士が連結部７を介して連結されている。各支持板３，４における他の３方向の端縁部、すなわち短手方向他端部である下端縁部、および長手方向両端部である左右方向の両端縁部は、それぞれ非連結構造とされ、それにより下端開口部８および左右開口部９，１０が形成されている。
【００３１】
これら前側支持板３の開口部８，９，１０の周縁位置には、板厚方向（後方）に向って突出する折返し部１１，１２，１３が形成されている。これらの折返し部１１，１２，１３は、図２に示すように、前側支持板３の内表面よりも若干後方で、かつ後側支持板４の内面よりも前方に配置されている。これにより、前側支持板１３と後側支持板４との下端および左右の周縁位置には、内部の間隙５と連通する開口部８，９，１０が下向きおよび左右の向きに形成される。前側支持板３の内面には、その略全体に亘って、磁性金属板１４が一体的に組込まれている。なお、磁性金属板１４は後側支持板４の内面に設けてもよく、また両支持板３，４の内面に設けてもよい。
【００３２】
このような支持板３，４の間隙の内部に、遮光板６が挿入されている。遮光板６は、例えば円形状の遮光板本体１５と、この本体に設けられた軸部１６とからなっている。
【００３３】
遮光板本体１５は、例えば低透光率の平坦な樹脂板材等によって構成されており、その直径Ｄは、支持板の上下高さＨよりも若干大きく設定されている。これにより、遮光板本体１５は、支持板３，４内に挿入した状態において、少なくとも下端部分が支持板３，４の下端側の開口部８から若干突出し、この部分を指等によって摘むことができるようになっている。そして、この遮光板本体１５は、支持板３，４の板面に沿う全ての方向にスライド自在とされている。このように円形に構成された遮光板本体１５は、後述の如く、太陽光等の照射を弱めるために支持板３，４から引出して使用する際に、太陽光等の中心点から一定径の範囲に沿って遮光を行なう輪郭部を有する形状となるものである。
【００３４】
また、軸部１６は、遮光板本体１５の板面の１点である前面外円周位置から軸状に突出した永久磁石体からなり、基端部分１６ａよりも突出先端部分１６ｂが大径な異径円柱体として構成されている。この永久磁石体からなる軸部１６は、支持板３，４内に設けられた磁性金属板１４に常時接触し、吸磁力によって吸引されることにより、遮光板本体１５に一定以上の力を加えた場合にのみ遮光板本体１５とともに支持板３，４の板面に沿って移動可能となる。
【００３５】
この軸部１６は遮光板本体１５に一定以上の移動力が加えられない場合には、吸磁力によって磁性金属板１４に吸着固定される。そして、この状態において遮光板本体１５に回動力を加えると、軸部１６を中心として遮光板本体１５は回動することができる。また、軸部１６の突出先端側の肉厚は、支持板３，４の開口部８，９，１０に設けられた保持枠１１，１２，１３の折返し部内に挿入し得る設定とされている。
【００３６】
すなわち、本実施形態では、軸部１６が永久磁石により構成される一方、支持板の内面に磁性金属板１４が設けられ、これらの間で発生する磁気吸引力が軸部１６の移動抵抗力となり、遮光板６が支持板３，４の板面に沿う各位置にて固定保持し得る構成とされている。これにより、軸部１６は回動支点用としての機能と、ストッパ機能としての２つの機能を有する。すなわち、軸部１６が保持枠１１，１２，１３に係止される範囲で遮光板本体１５の一部ないし略全体が、保持枠１１，１２，１３の周縁部外方に引出し可能とされ、かつ支持板３，４の板面に沿う移動および軸部１６を中心とする回動が可能となる。
【００３７】
次に、以上の構成を有する本実施形態によるサンバイザ装置の作用について説明する。
【００３８】
通常の遮光不要な運転時においては、サンバイザ基体２を車両ルーフ側に跳ね上げた状態としておく。この場合には、遮光板６を挿入した支持板３，４の下端縁部がサンバイザ基体２のルーフ側への跳ね上げとともに、図１の状態から上方に回動した状態となり、遮光板６の出し入れ用の開口部８，９，１０が上側に位置し、遮光板６は支持板３，４内に確実に保持され、何ら移動しない状態となっている。
【００３９】
一方、遮光が必要となった場合には、サンバイザ基体２を、支軸２ａを中心として下方手前側に垂下させ，図１の状態とする。この状態では、支持板３，４の下端縁の開口部８が下方に向って開口する状態となる。ここで、本実施形態では、支持板３，４の高さＨよりも遮光板６の直径Ｄを僅かに大きく設定して、遮光板６の周縁の一部が支持板３，４の開口部８から下方に突出するようにしてあることにより、この遮光板６の突出部分を指で摘んで垂直下方や斜め下方への引き出し、あるいは左右方向への移動等のスライド動作を行なわせることができる。さらに、図３に示したように、支持板３，４の左右端縁部の開口部９，１０に沿って上昇させたり、さらに軸部１６を支点として遮光板６を上下方向等に回動させることもできる。
【００４０】
このようなスライド操作は、永久磁石からなる軸部１６が支持板３，４内に配置した磁性金属板１４との吸磁力に抗する移動力を与えるだけで容易に行なうことができ、誰でも自由に設定することができる。また、遮光板６の回動については、磁力によって一定の吸磁力により軸部１６が磁性金属板１４に対して吸引されて十分に回動用支点として固定状態を保持することができ、回動による角度調整等を固定的軸部１６のもとで容易に、かつ確実に行なうことができる。
【００４１】
しかも、遮光板６を引出した際には、支持板３，４の周縁に設けた保持枠１１，１２，１３に軸部１６がストッパとして当接し、脱落を確実に保持することができる。特に本実施形態においては、軸部１６が小径な基端部分１６ａと大径な先端部分１６ｂとからなり、一方、保持枠１１，１２，１３は、支持板３，４の板厚方向に折返し状に形成されていて、軸部１６の大径部分１６ａを内部に収納できる構成としたことにより、遮光板６の脱落を確実に防止することができる。
【００４２】
そして、運転者等から見て太陽光等が入射してくる位置に遮光板６を合わせると、遮光板６が円形であって、太陽光等の中心点から一定径の範囲に沿って遮光を行なう輪郭部を有する形状であるため、太陽等の光源の一点を中心とした眩しい範囲が周方向に均等に覆われるようになる。
【００４３】
したがって、遮光板６の引出し量を適宜調整し、所定の光透過率低減作用が及ぶ範囲までの引出しにより、円形の遮光板６以外の他の部分からは通常状態の視野を確保することができ、例えば太陽光等と交通用信号機のランプ等とが接近した高さ等に見える場合でも、微妙な位置調整も容易に行なえることから、確実に信号ランプ等を見ることも可能となり、運転上の快適性、安全性等を従来に比して大幅に向上することができる。
【００４４】
このように、本実施形態によれば、遮光位置の変化に追随させて遮光板６を斜め方向等でも自在に移動させることができ、走行中の操作が容易に行なえる。
【００４５】
また、遮光板６の位置の微調整が迅速かつ良好に行なえ、定位置への固定も確実に行なえる。
【００４６】
しかも、光源を中心として一定の必要な範囲だけを遮光することができ、その周囲は通常の状態で見易く、運転方向の視野が狭められることを解消して安全性向上が図れる。
【００４７】
さらに、本実施形態においては、構成が支持板３，４、円形の遮光板６とそれに設けた永久磁石からなる軸部１６、および支持板３，４内に設ける磁性金属１４板等からなる比較的簡易なものであり、部品点数も少なく、製作にも手間がからず、低コスト化の推進も図れる。
【００４８】
図４は、本発明の他の実施形態を示す説明図である。
【００４９】
この図４に示した実施形態では、支持板３，４の形状を上辺の両隅部において湾曲させるとともに、遮光板６の形状を円形に加えて首状の部分を設けた形状としたもの、例えば屈曲した瓢箪状に構成したものである。
【００５０】
すなわち、本実施形態によれば、使用時において遮光板６が大きく突出できるように、軸部１６と、その軸部１６の反対側に位置する遮光板６の端縁部との間の長さＬを、支持板の高さＨよりも大きくしてある。そして、図４に仮想線で示したように、使用時には遮光板６を支持板３，４から大きく突出できるようにする一方、不使用時には遮光板６を横長な状態に回動させて支持板３，４内に収納させることにより、この不使用時における遮光板６の支持板３，４からの突出量は、前記一実施形態と略同程度に保持できるようにしてある。
【００５１】
このような構成とすることにより、遮光板６の円形部分の略全体を外部に表出させることができるので、太陽光を減光させるときに、例えば遮光板６の円形部分の中心位置に常に太陽光が位置するようにして、良好な視野を継続的に確保することができる。この場合、本実施形態においても、上述した一実施形態の如く、支持板間に磁力等による固定力を伴いつつ、自在な方向に引出して、適宜の場所にて安定に固定保持することができるという、使用上での利便を十分に確保することができる。
【００５２】
なお、以上の各実施形態においては、軸部１６の全体を永久磁石によって構成したが、遮蔽板６の支持板３，４に対する十分な吸着保持力が得られる範囲において、軸部１６の一部のみを永久磁石により構成してもよい。
【００５３】
また、上記各実施形態では、軸部１６の移動抵抗力を得る手段として、磁力を利用したが、これに限らず、種々の変形が可能である。例えば、ばね力を利用して、軸部１６が支持板３，４内に移動可能であり、かつ固定時には十分な保持力を発揮し得るような手段とする等、磁力以外の移動抵抗手段を利用することも可能である。
【００５４】
また、前記実施形態では軸部１６を遮光板本体１５の周縁位置に配置したが、これは所定径の遮光板６を最も効率よく使用するためであって、必ずしもこれに限らず、遮光体本体１５の周縁位置から若干離間した近傍に配置してもよい。
【００５５】
また、以上の実施形態においては、遮光板本体１５を円形（第１実施形態）、または歪曲した瓢箪形（第２実施形態）としたが、本発明ではこれに限らず、その他に、楕円形、長円形、達磨形、角を丸めた多角形、またはこれらが歪曲した形状等として実施することができる。要するに、遮光板本体１５は、太陽光照射等を弱めるために支持板６から引出して使用する際に、太陽光等の中心点から一定径の範囲に沿って遮光を行なう輪郭部を有する形状とされていればよい。
【００５６】
また、以上の実施形態においては、遮光板６の軸部１６を先端側が大径な段差を有するものとし、この軸部１６の大径先端部を受けるために、支持板周縁位置の脱落防止用保持枠１１，１２，１３を折返し部が形成されたものとしたが、これは軸部１６の脱落防止が最も効果的に行なわれる例を示したものであって、種々の変形が可能である。例えば軸部１６を一定径とし、脱落防止用保持枠１１，１２，１３は、支持板３，４の開口周縁位置に板厚方向に向って突出する段差部とするだけの構成としてもよい。
【００５７】
【発明の効果】
本発明によると、遮光位置の変化に追随させて遮光板を斜め方向等でも自在に移動させることができ、走行中の操作が容易に行なえるとともに、位置の微調整が迅速かつ良好に行なえ、定位置への固定も確実に行なえ、しかも光源を中心として一定の必要な範囲だけを遮光することができ、その周囲は通常の状態で見易く、運転方向の視野が狭められることを解消して安全性向上も図れ、さらに構成が比較的簡易で部品点数も少なく、製作にも手間がからず低コスト化も図れる等の優れた効果が奏される。
【図面の簡単な説明】
【図１】本発明に係るサンバイザ装置の一実施形態を示す斜視図。
【図２】図１のＡ−Ａ線断面図。
【図３】本発明の一実施形態の作用説明図。
【図４】本発明の他の実施形態を示す斜視図。
【符号の説明】
１  サンバイザ装置
２  サンバイザ基体
２ａ  支持アーム
３  支持板（前側支持板）
４  支持板（後側支持板）
５  間隙
６  遮光板
７  連結部
８，９，１０  開口部
１１，１２，１３  折返し部
１４  磁性金属板
１５  遮光板本体
１６  軸部
１６ａ  基端部分
１６ｂ  突出先端部分
【図１】
0003653267.tif 000002
【図２】
0003653267.tif 000003
【図３】
0003653267.tif 000004
【図４】
0003653267.tif 000005